(57)【特許請求の範囲】
【請求項１】
第１のワイヤレスデバイスを動作させる方法であって、
基地局とのワイヤレスワイドエリアネットワーク（ＷＷＡＮ）通信のために第３のワイヤレスデバイスによって利用される時間周波数リソースを使用して、第２のワイヤレスデバイスとのピア・ツー・ピア通信のために前記基地局から許可を受信することと、
前記許可とともに前記ピア・ツー・ピア通信のために送信電力を受信することと、ここで前記送信電力は、前記第３のワイヤレスデバイスからの前記基地局によって受信された送信に対して引き起こされうる干渉に基づいて決定される、
前記時間周波数リソース上でピア・ツー・ピア通信を使用して前記受信された送信電力以下の電力で、前記第２のワイヤレスデバイスと通信することと、
前記許可とともに受信した第１の電力、および、前記第２のワイヤレスデバイスからの基準信号が受信された第２の電力、に基づいてチャネルを推定し、前記第２のワイヤレスデバイスとの前記ピア・ツー・ピア通信のためのレートを決定すること、ここで前記第１の電力は、前記第２のワイヤレスデバイスからの基準信号が送信された電力である、
を備える、方法。
【請求項２】
前記送信電力は、前記第１のワイヤレスデバイスと前記第２のワイヤレスデバイスとの間の前記ピア・ツー・ピア通信のための最大送信電力である、請求項１に記載の方法。
【請求項３】
前記時間周波数リソースにおいて前記第２のワイヤレスデバイスへパイロット信号を送信することと、
前記送信されたパイロット信号に応答して、前記時間周波数リソースにおいて前記第２のワイヤレスデバイスからチャネル品質インジケータフィードバックを受信することと、
前記受信されたチャネル品質インジケータフィードバックに基づいて、前記第２のワイヤレスデバイスとの前記通信のためのレートを決定することと、
をさらに備え、
前記第２のワイヤレスデバイスとの前記通信は、前記決定されたレートにおいてである、
請求項１に記載の方法。
【請求項４】
前記時間周波数リソースにおいて前記第２のワイヤレスデバイスからパイロット信号を受信することと、
前記受信されたパイロット信号に応答して、前記時間周波数リソースにおいて前記第２のワイヤレスデバイスへチャネル品質インジケータフィードバックを送信することと、
をさらに備え、
前記第２のワイヤレスデバイスとの前記通信は、前記チャネル品質インジケータフィードバックに基づいて決定されたレートにおいてである
請求項１に記載の方法。
【請求項５】
前記第２のワイヤレスデバイスから基準信号を受信することと、
前記許可とともに第１の電力を受信することと、ここで前記第１の電力は、前記基準信号が送信された電力である、
前記基準信号が受信された第２の電力を決定することと、
前記第１の電力および前記第２の電力に基づいてチャネルを推定することと、
前記推定されたチャネルおよび前記受信された送信電力に基づいて、前記第２のワイヤレスデバイスとの前記通信のためのレートを決定することと、
をさらに備え、
前記第２のワイヤレスデバイスとの前記通信は、前記決定されたレートにおいてである
請求項１に記載の方法。
【請求項６】
前記第２のワイヤレスデバイスから送信された基準信号のＷＷＡＮリソース内の位置を受信することをさらに備え、前記ＷＷＡＮリソース内の前記基準信号の前記位置は、前記基地局から受信される、請求項５に記載の方法。
【請求項７】
ＷＷＡＮリソースを使用して、前記基地局へのピア・ツー・ピア・データ通信のために、肯定応答（ＡＣＫ）または否定応答（ＮＡＣＫ）を送信することをさらに備える、請求項１に記載の方法。
【請求項８】
ＷＷＡＮリソースを使用して、前記基地局からのピア・ツー・ピア・データ通信のために肯定応答（ＡＣＫ）または否定応答（ＮＡＣＫ）を受信することをさらに備え、前記ＡＣＫまたは前記ＮＡＣＫは、前記第２のワイヤレスデバイスから発信される、請求項１に記載の方法。
【請求項９】
前記許可は、前記干渉が閾値未満である場合にのみ前記基地局から受信される、請求項１に記載の方法。
【請求項１０】
基地局を動作させる方法であって、
前記基地局とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信することと、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定することと、
少なくとも前記第１のワイヤレスデバイスへ前記許可とともに前記送信電力を送信することと、
前記許可とともに前記第１のワイヤレスデバイスへ、前記第２のワイヤレスデバイスから送信された基準信号の送信電力を送信することと、ここにおいて、前記基準信号の送信電力、および、前記第１のワイヤレスデバイスが前記第２のワイヤレスデバイスからの前記基準信号を受信した電力は、前記第１のワイヤレスデバイスにおいて、チャネルを推定して前記第１のワイヤレスデバイスと前記第２のワイヤレスデバイスとの間の前記ピア・ツー・ピア通信のためのレートを決定するために使用される、
を備える、方法。
【請求項１１】
前記干渉は、前記第３のワイヤレスデバイス、および前記第１のワイヤレスデバイスまたは前記第２のワイヤレスデバイスのうちの少なくとも１つからの、前記受信された信号品質または信号電力のうちの少なくとも１つに基づいて推定される、請求項１０に記載の方法。
【請求項１２】
前記推定された干渉が、閾値未満であるかどうかに基づいて、前記許可を送信するかを決定することをさらに備える、請求項１０に記載の方法。
【請求項１３】
前記干渉は、前記第１のワイヤレスデバイスまたは前記第２のワイヤレスデバイスのうちの少なくとも１つからの、前記第３のワイヤレスデバイスから前記受信された信号への以前の干渉に基づいて推定される、請求項１０に記載の方法。
【請求項１４】
前記送信電力は、前記第１のワイヤレスデバイスと前記第２のワイヤレスデバイスとの間の前記ピア・ツー・ピア通信のための最大送信電力である、請求項１０に記載の方法。
【請求項１５】
前記第１のワイヤレスデバイスと前記第２のワイヤレスデバイスとの間のピア・ツー・ピア・データ通信のためにＷＷＡＮリソースを使用して、前記第１のワイヤレスデバイスから肯定応答（ＡＣＫ）または否定応答（ＮＡＣＫ）を受信することと、
前記ＷＷＡＮリソースを使用して、前記第２のワイヤレスデバイスへ前記受信されたＡＣＫまたはＮＡＣＫを送信することと
をさらに備える、請求項１０に記載の方法。
【請求項１６】
前記第２のワイヤレスデバイスから送信された基準信号のＷＷＡＮリソース内の位置を送信することをさらに備える、請求項１０に記載の方法。
【請求項１７】
ワイヤレス通信のための装置であって、
基地局とのワイヤレスワイドエリアネットワーク（ＷＷＡＮ）通信のために第３の装置によって利用される時間周波数リソースを使用して、第２の装置とのピア・ツー・ピア通信のために前記基地局から許可を受信するための手段と、
前記許可とともに前記ピア・ツー・ピア通信のために送信電力を受信するための手段と、ここで前記送信電力は、前記第３の装置からの前記基地局によって受信された送信を対して引き起こされうる干渉に基づいて決定される、
前記時間周波数リソース上でピア・ツー・ピア通信を使用して前記受信された送信電力以下の電力で、前記第２の装置と通信するための手段と、
前記許可とともに受信した第１の電力、および、前記第２の装置からの基準信号が受信された第２の電力、に基づいてチャネルを推定し、前記第２の装置との前記ピア・ツー・ピア通信のためのレートを決定するための手段と、ここで前記第１の電力は、前記第２の装置からの基準信号が送信された電力である、
を備える、装置。
【請求項１８】
前記送信電力は、前記装置と前記第２の装置との間の前記ピア・ツー・ピア通信のための最大送信電力である、請求項１７に記載の装置。
【請求項１９】
前記時間周波数リソースにおいて前記第２の装置へパイロット信号を送信するための手段と、
前記送信されたパイロット信号に応答して、前記第２の装置から前記時間周波数リソースにおいてチャネル品質インジケータフィードバックを受信するための手段と、
前記受信されたチャネル品質インジケータフィードバックに基づいて、前記第２の装置との前記通信のためのレートを決定するための手段と、
をさらに備え、
前記第２の装置との前記通信は、前記決定されたレートにおいてである、
請求項１７に記載の装置。
【請求項２０】
前記時間周波数リソースにおいて前記第２の装置からパイロット信号を受信するための手段と、
前記受信されたパイロット信号に応答して、前記第２の装置へ前記時間周波数リソースにおいてチャネル品質インジケータフィードバックを送信するための手段と、
をさらに備え、
前記第２の装置との前記通信は、前記チャネル品質インジケータフィードバックに基づいて決定されたレートにおいてである、
請求項１７に記載の装置。
【請求項２１】
前記第２の装置から基準信号を受信するための手段と、
前記許可とともに第１の電力を受信するための手段と、ここで前記第１の電力は、前記基準信号が送信された電力である、
前記基準信号が受信された第２の電力を決定するための手段と、
前記第１の電力および前記第２の電力に基づいてチャネルを推定するための手段と、
前記推定されたチャネルおよび前記受信された送信電力に基づいて、前記第２の装置との前記通信のためのレートを決定するための手段と、
をさらに備え、
前記第２の装置との前記通信は、前記決定されたレートにおいてである、
請求項１７に記載の装置。
【請求項２２】
前記第２の装置から送信された、基準信号のＷＷＡＮリソース内の位置を受信するための手段をさらに備え、前記ＷＷＡＮリソース内の前記基準信号の前記位置は、前記基地局から受信される、請求項２１に記載の装置。
【請求項２３】
ＷＷＡＮリソースを使用して、前記基地局へのピア・ツー・ピア・データ通信のために、肯定応答（ＡＣＫ）または否定応答（ＮＡＣＫ）を送信するための手段をさらに備える、請求項１７に記載の装置。
【請求項２４】
ＷＷＡＮリソースを使用して、前記基地局からのピア・ツー・ピア・データ通信のために、肯定応答（ＡＣＫ）または否定応答（ＮＡＣＫ）を受信するための手段をさらに備え、前記ＡＣＫまたは前記ＮＡＣＫは、前記第２の装置から発信される、請求項１７に記載の装置。
【請求項２５】
前記許可は、前記干渉が閾値未満である場合にのみ前記基地局から受信される、請求項１７に記載の装置。
【請求項２６】
ワイヤレス通信のための装置であって、
前記装置とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信するための手段と、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定するための手段と、
少なくとも前記第１のワイヤレスデバイスへ前記許可とともに前記送信電力を送信するための手段と、
前記許可とともに前記第１のワイヤレスデバイスへ、前記第２のワイヤレスデバイスから送信された基準信号の送信電力を送信するための手段と、ここにおいて、前記基準信号の送信電力、および、前記第１のワイヤレスデバイスが前記第２のワイヤレスデバイスからの前記基準信号を受信した電力は、前記第１のワイヤレスデバイスにおいて、チャネルを推定して前記第１のワイヤレスデバイスと前記第２のワイヤレスデバイスとの間の前記ピア・ツー・ピア通信のためのレートを決定するために使用される、
を備える、装置。
【請求項２７】
前記干渉は、前記第３のワイヤレスデバイス、および前記第１のワイヤレスデバイスまたは前記第２のワイヤレスデバイスのうちの少なくとも１つからの、前記受信された信号品質または信号電力のうちの少なくとも１つに基づいて推定される、請求項２６に記載の装置。
【請求項２８】
前記推定された干渉が、閾値未満であるかどうかに基づいて、前記許可を送信するかを決定するための手段をさらに備える、請求項２６に記載の装置。
【請求項２９】
前記干渉は、前記第１のワイヤレスデバイスまたは前記第２のワイヤレスデバイスのうちの少なくとも１つからの、前記第３のワイヤレスデバイスから前記受信された信号への以前の干渉に基づいて推定される、請求項２６に記載の装置。
【請求項３０】
前記送信電力は、前記第１のワイヤレスデバイスと前記第２のワイヤレスデバイスとの間の前記ピア・ツー・ピア通信のための最大送信電力である、請求項２６に記載の装置。
【請求項３１】
前記第１のワイヤレスデバイスと前記第２のワイヤレスデバイスとの間のピア・ツー・ピア・データ通信のためにＷＷＡＮリソースを使用して、前記第１のワイヤレスデバイスから肯定応答（ＡＣＫ）または否定応答（ＮＡＣＫ）を受信するための手段と、
前記ＷＷＡＮリソースを使用して、前記第２のワイヤレスデバイスへ前記受信されたＡＣＫまたはＮＡＣＫを送信するための手段と
をさらに備える、請求項２６に記載の装置。
【請求項３２】
前記第２のワイヤレスデバイスから送信された基準信号のＷＷＡＮリソース内の位置を送信するための手段をさらに備える、請求項２６に記載の装置。
【請求項３３】
ワイヤレス通信のための装置であって、
基地局とのワイヤレスワイドエリアネットワーク（ＷＷＡＮ）通信のために第３の装置によって利用される時間周波数リソースを使用して、第２の装置とのピア・ツー・ピア通信のために前記基地局から許可を受信し、
前記許可とともに前記ピア・ツー・ピア通信のために送信電力を受信し、ここで前記送信電力は、前記第３の装置からの前記基地局によって受信された送信に対して引き起こされうる干渉に基づいて決定される、
前記時間周波数リソース上でピア・ツー・ピア通信を使用して前記受信された送信電力以下の電力で、前記第２の装置と通信し、
前記許可とともに受信した第１の電力、および、前記第２の装置からの基準信号が受信された第２の電力、に基づいてチャネルを推定し、前記第２の装置との前記ピア・ツー・ピア通信のためのレートを決定する、ここで前記第１の電力は、前記第２の装置からの基準信号が送信された電力である、
ように構成された処理システム
を備える装置。
【請求項３４】
前記送信電力は、前記装置と前記第２の装置との間の前記ピア・ツー・ピア通信のための最大送信電力である、請求項３３に記載の装置。
【請求項３５】
前記処理システムは、
前記時間周波数リソースにおいて前記第２の装置へパイロット信号を送信し、
前記送信されたパイロット信号に応答して、前記第２の装置から前記時間周波数リソースにおいてチャネル品質インジケータフィードバックを受信し、
前記受信されたチャネル品質インジケータフィードバックに基づいて、前記第２の装置との前記通信のためのレートを決定する
ようにさらに構成され、
前記第２の装置との前記通信は、前記決定されたレートにおいてである、
請求項３３に記載の装置。
【請求項３６】
前記処理システムは、
前記時間周波数リソースにおいて前記第２の装置からパイロット信号を受信し、
前記受信されたパイロット信号に応答して、前記第２の装置へ前記時間周波数リソースにおいてチャネル品質インジケータフィードバックを送信する
ようにさらに構成され、
前記第２の装置との前記通信は、前記チャネル品質インジケータフィードバックに基づいて決定されたレートにおいてである、
請求項３３に記載の装置。
【請求項３７】
前記処理システムは、
前記第２の装置から基準信号を受信し、
前記許可とともに第１の電力を受信し、ここで前記第１の電力は、前記基準信号が送信された電力である、
前記基準信号が受信された第２の電力を決定し、
前記第１の電力および前記第２の電力に基づいてチャネルを推定し、
前記推定されたチャネルおよび前記受信された送信電力に基づいて、前記第２の装置との前記通信のためのレートを決定する
ようにさらに構成され、
前記第２の装置との前記通信は、前記決定されたレートにおいてである
請求項３３に記載の装置。
【請求項３８】
前記処理システムは、前記第２の装置から送信された、基準信号のＷＷＡＮリソース内の位置を受信するようにさらに構成され、前記ＷＷＡＮリソース内の前記基準信号の前記位置は、前記基地局から受信される、請求項３７に記載の装置。
【請求項３９】
前記処理システムは、ＷＷＡＮリソースを使用して、前記基地局へのピア・ツー・ピア・データ通信のために、肯定応答（ＡＣＫ）または否定応答（ＮＡＣＫ）を送信するようにさらに構成される、請求項３３に記載の装置。
【請求項４０】
前記処理システムは、ＷＷＡＮリソースを使用して、前記基地局からのピア・ツー・ピア・データ通信のために、肯定応答（ＡＣＫ）または否定応答（ＮＡＣＫ）を受信するようにさらに構成され、前記ＡＣＫまたは前記ＮＡＣＫは、前記第２の装置から発信される、請求項３３に記載の装置。
【請求項４１】
前記許可は、前記干渉が閾値未満である場合にのみ前記基地局から受信される、請求項３３に記載の装置。
【請求項４２】
ワイヤレス通信のための装置であって、
前記装置とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信し、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定し、
少なくとも前記第１のワイヤレスデバイスへ前記許可とともに前記送信電力を送信し、
前記許可とともに前記第１のワイヤレスデバイスへ、前記第２のワイヤレスデバイスから送信された基準信号の送信電力を送信する、ここにおいて、前記基準信号の送信電力、および、前記第１のワイヤレスデバイスが前記第２のワイヤレスデバイスからの前記基準信号を受信した電力は、前記第１のワイヤレスデバイスにおいて、チャネルを推定して前記第１のワイヤレスデバイスと前記第２のワイヤレスデバイスとの間の前記ピア・ツー・ピア通信のためのレートを決定するために使用される、
ように構成された処理システム
を備える装置。
【請求項４３】
前記干渉は、前記第３のワイヤレスデバイス、および前記第１のワイヤレスデバイスまたは前記第２のワイヤレスデバイスのうちの少なくとも１つからの、前記受信された信号品質または信号電力のうちの少なくとも１つに基づいて推定される、請求項４２に記載の装置。
【請求項４４】
前記処理システムは、前記推定された干渉が、閾値未満であるかどうかに基づいて、前記許可を送信するかを決定するようにさらに構成される、請求項４２に記載の装置。
【請求項４５】
前記干渉は、前記第１のワイヤレスデバイスまたは前記第２のワイヤレスデバイスのうちの少なくとも１つからの、前記第３のワイヤレスデバイスから前記受信された信号への以前の干渉に基づいて推定される、請求項４２に記載の装置。
【請求項４６】
前記送信電力は、前記第１のワイヤレスデバイスと前記第２のワイヤレスデバイスとの間の前記ピア・ツー・ピア通信のための最大送信電力である、請求項４２に記載の装置。
【請求項４７】
前記処理システムは、
前記第１のワイヤレスデバイスと前記第２のワイヤレスデバイスとの間のピア・ツー・ピア・データ通信のためにＷＷＡＮリソースを使用して、前記第１のワイヤレスデバイスから肯定応答（ＡＣＫ）または否定応答（ＮＡＣＫ）を受信し、
前記ＷＷＡＮリソースを使用して、前記第２のワイヤレスデバイスへ前記受信されたＡＣＫまたはＮＡＣＫを送信する
ようにさら構成された、請求項４２に記載の装置。
【請求項４８】
前記処理システムは、前記第２のワイヤレスデバイスから送信された基準信号のＷＷＡＮリソース内の位置を送信するようにさらに構成される、請求項４２に記載の装置。
【請求項４９】
第１のワイヤレスデバイスにおけるコンピュータ可読記憶媒体であって、
基地局とのワイヤレスワイドエリアネットワーク（ＷＷＡＮ）通信のために第３のワイヤレスデバイスによって利用される時間周波数リソースを使用して、第２のワイヤレスデバイスとのピア・ツー・ピア通信のために前記基地局から許可を受信し、
前記許可とともに前記ピア・ツー・ピア通信のために送信電力を受信し、ここで前記送信電力は、前記第３のワイヤレスデバイスからの前記基地局によって受信された送信に対して引き起こされうる干渉に基づいて決定される、
前記時間周波数リソース上でピア・ツー・ピア通信を使用して前記受信された送信電力以下の電力で、前記第２のワイヤレスデバイスと通信し、
前記許可とともに受信した第１の電力、および、前記第２のワイヤレスデバイスからの基準信号が受信された第２の電力、に基づいてチャネルを推定し、前記第２のワイヤレスデバイスとの前記ピア・ツー・ピア通信のためのレートを決定する、ここで前記第１の電力は、前記第２のワイヤレスデバイスからの基準信号が送信された電力である、
ためのコードを備える、コンピュータ可読記憶媒体。
【請求項５０】
基地局におけるコンピュータ可読記憶媒体であって、
前記基地局とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信し、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定し、
少なくとも前記第１のワイヤレスデバイスへ前記許可とともに前記送信電力を送信し、
前記許可とともに前記第１のワイヤレスデバイスへ、前記第２のワイヤレスデバイスから送信された基準信号の送信電力を送信する、ここにおいて、前記基準信号の送信電力、および、前記第１のワイヤレスデバイスが前記第２のワイヤレスデバイスからの前記基準信号を受信した電力は、前記第１のワイヤレスデバイスにおいて、チャネルを推定して前記第１のワイヤレスデバイスと前記第２のワイヤレスデバイスとの間の前記ピア・ツー・ピア通信のためのレートを決定するために使用される、
ためのコードを備える、コンピュータ可読記憶媒体。
【発明の詳細な説明】
【技術分野】
【０００１】
[0001]   本願は、一般に通信システムに関し、より詳細には、ワイヤレスワイドエリアネットワーク（ＷＷＡＮ）とのピア・ツー・ピア・リンクのジョイントスケジューリングに基づく干渉に関する。
【背景技術】
【０００２】
[0002]   ＷＷＡＮにおいて、ワイヤレスデバイス間の全ての通信は、ワイヤレスデバイスとサービング基地局とのアップリンク／ダウンリンクチャネルを介する。２つのワイヤレスデバイスが互いに接近している場合、それらは、サービング基地局を介してアップリンク／ダウンリンクチャネルを使用する代わりに、ピア・ツー・ピア通信を使用して直接共に通信しうる。ピア・ツー・ピア通信は、ピア・ツー・ピア通信専用のリソースを介しうる。代替として、ピア・ツー・ピア通信は、ＷＷＡＮリソースを介しうる。方法および装置は、ＷＷＡＮリソースを介して最小限の干渉でピア・ツー・ピア通信を容易に行うために必要とされる。
【発明の概要】
【０００３】
[0003]   本開示の一態様において、第１のワイヤレスデバイスを動作させる（operating）装置および方法が提供される。方法によると、第１のワイヤレスデバイスは、基地局とのＷＷＡＮ通信のために第３のワイヤレスデバイスによって利用される時間周波数リソースを使用して、第２のワイヤレスデバイスとのピア・ツー・ピア通信のために基地局から許可を受信する。加えて、第１のワイヤレスデバイスは、許可とともにピア・ツー・ピア通信のために送信電力を受信する。送信電力は、第３のワイヤレスデバイスからの基地局によって受信された送信に対して引き起こされうる干渉に基づいて決定される。さらに、第１のワイヤレスデバイスは、時間周波数リソース上でピア・ツー・ピア通信を使用して、受信された送信電力以下の電力で、第２のワイヤレスデバイスと通信する。
【０００４】
[0004]   本開示の一態様において、基地局を動作させる装置および方法が提供される。方法によると、基地局は、基地局とのＷＷＡＮ通信のために第３のワイヤレスデバイスによって利用される時間周波数リソースを使用して、第１のワイヤレスデバイスとのピア・ツー・ピア通信において第１のワイヤレスデバイスおよび第２のワイヤレスデバイスへ許可を送信する。加えて、基地局は、第３のワイヤレスデバイスから受信された信号への推定された干渉に基づいて、第１のワイヤレスデバイスと第２のワイヤレスデバイスとの間のピア・ツー・ピア通信のために送信電力を決定する。さらに、基地局は、少なくとも第１のワイヤレスデバイスへ許可とともに送信電力を送信する。
【図面の簡単な説明】
【０００５】
[0005]     
【図１】図１は、処理システムを用いる装置のためのハードウェア実現の例を図示するダイヤグラムである。
【０００６】
[0006]     
【図２】図２は、ワイヤレス・ピア・ツー・ピア通信システムの図である。
【０００７】
[0007]     
【図３】図３は、ＷＷＡＮおよびピア・ツー・ピア・リソースを図示するダイヤグラムである。
【０００８】
[0008]     
【図４】図４は、例示的な方法を図示するためのダイヤグラムである。
【０００９】
[0009]     
【図５】図５は、スケジューリングされたピア・ツー・ピア通信についてのレートを推定するための第１の例示的な方法を図示するダイヤグラムである。
【００１０】
[0010]     
【図６】図６は、スケジューリングされたピア・ツー・ピア通信についてのレートを推定するための第２の例示的な方法を図示するダイヤグラムである。
【００１１】
[0011]     
【図７】図７は、ワイヤレス通信の例示的な方法のフローチャートである。
【００１２】
[0012]     
【図８】図８は、スケジューリングされたピア・ツー・ピア通信についてのレートを推定するためのワイヤレス通信の第１の方法のフローチャートである。
【００１３】
[0013]     
【図９】図９は、スケジューリングされたピア・ツー・ピア通信についてのレートを推定するためのワイヤレス通信の第１の方法の別のフローチャートである。
【００１４】
[0014]     
【図１０】図１０は、スケジューリングされたピア・ツー・ピア通信についてのレートを推定するためのワイヤレス通信の第２の方法のフローチャートである。
【００１５】
[0015]     
【図１１】図１１は、第１の例示的な装置の機能を図示する概念的なブロック図である。
【００１６】
[0016]     
【図１２】図１２は、ワイヤレス通信の別の例示的な方法のフローチャートである。
【００１７】
[0017]     
【図１３】図１３は、第２の例示的な装置の機能を図示する概念的なブロック図である。
【詳細な説明】
【００１８】
[0018]   添付図面に関連して以下に記載される詳細な説明は、様々な構成の説明として意図され、本明細書に説明される概念が実施されうる唯一の構成を表すようには意図されない。詳細な説明は、さまざまな概念の完全な理解を提供する目的のために特定の詳細を含む。しかしながら、これらの概念がこれらの具体的な詳細なしに実施されうることを当業者は理解するであろう。いくつかの例では、そのような概念をあいまいにすることを避けるために、周知の構造およびコンポーネントが、ブロック図の形態で示される。
【００１９】
[0019]   さまざまな装置および方法を参照して、これから、通信システムのいくつかの態様が示される。これらの装置および方法は、以下の詳細な説明において説明され、付随する図面において、さまざまなブロック、モジュール、コンポーネント、回路、ステップ、処理、アルゴリズム等（集合的には「エレメント」と呼ばれる）により図示されている。これらのエレメントは、電子ハードウェア、コンピュータ・ソフトウェア、またはそれらの任意の組み合わせを使用して実現されうる。そのようなエレメントがハードウェアとして実現されるかソフトウェアとして実現されるかは、システム全体に課された設計の制約および特定の用途に依存する。
【００２０】
[0020]   例として、エレメントまたはエレメントの任意の一部、あるいはエレメントの任意の組み合わせが、１つまたは複数のプロセッサを含む「処理システム」を用いて実現されうる。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、離散ハードウェア回路および本開示全体を通して説明されるさまざまな機能を実行するように構成された、他の適切なハードウェアを含む。処理システムにおける１つまたは複数のプロセッサは、ソフトウェアを実行しうる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数、等を意味するものと広く解釈されるべきである。ソフトウェアは、コンピュータ可読媒体に存在しうる。コンピュータ可読媒体は、非一時的なコンピュータ可読媒体であることができる。非一時的なコンピュータ可読媒体は、例として、磁気記憶デバイス（たとえば、ハードディスク、フロッピー（登録商標）ディスク、磁気ストリップ）、光学ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、およびコンピュータによってアクセスおよび読取可能なソフトウェアおよび／または命令を記憶するための、任意の他の適切な媒体を含む。コンピュータ可読媒体は処理システムの内部、処理システムの外部に存在することができ、または、処理システムを含む複数のエンティティにわたって分散されることができる。コンピュータ可読媒体は、コンピュータプログラム製品で具現化されうる。例として、コンピュータプログラム製品は、パッケージング材料内のコンピュータ可読媒体を含みうる。
【００２１】
[0021]  １つまたは複数の例示的な実施形態において、説明された機能は、ハードウェア、ソフトウェア、ファームウェア、またはこれらの任意の組み合わせで実現されうる。ソフトウェアで実現される場合、この機能は、コンピュータ可読媒体上の１つまたは複数の命令またはコードとして記憶または符号化されうる。コンピュータ可読媒体は、コンピュータ記憶媒体を含む。記憶媒体は、コンピュータによりアクセスされることができる任意の利用可能な媒体である。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは命令あるいはデータ構造の形態で望ましいプログラムコードを搬送もしくは格納するために使用されることができる、コンピュータによってアクセスされることができる任意の他の媒体を備えることができる。本明細書で使用したようなディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ可読媒体の範囲内に含まれるべきである。当業者は、システム全体に課された全体的な設計の制約および特定の用途に依存して、本開示全体を通して提示される説明される機能を、どのようにすれば最もうまく実現できるかを認識するであろう。
【００２２】
[0022]   図１は、処理システム１１４を用いる装置１００のためのハードウェア実現の例を図示している概念ダイヤグラムである。処理システム１１４は、バス１０２により一般的に表されるバスアーキテクチャで実現されうる。バス１０２は、処理システム１１４の特定の用途と全体的な設計の制約に依存して、任意の数の相互接続バスおよびブリッジを含みうる。バス１０２は、プロセッサ１０４によって一般的に表された１つまたは複数のプロセッサおよび／またはハードウェアモジュール、さらに、コンピュータ可読媒体１０６によって一般的に表されたコンピュータ可読媒体を含む、さまざまな回路を共にリンクさせる。バス１０２はまた、タイミングソース、周辺機器、電圧レギュレータ、および電力管理回路といった、様々な他の回路をリンクさせることができ、これらは当技術分野では周知であり、従ってこれ以上は説明されない。バス・インターフェース１０８は、バス１０２とトランシーバ１１０との間のインターフェースを提供する。トランシーバ１１０は、伝送媒体を通して他の様々な装置と通信するための手段を提供する。
【００２３】
[0023]   プロセッサ１０４は、バス１０２の管理、およびコンピュータ可読媒体１０６に記憶されたソフトウェアの実行を含む汎用処理を担っている。ソフトウェアは、プロセッサ１０４によって実行される場合、処理システム１１４に、下記で説明される様々な機能を任意の特定の装置に対して実行させる。コンピュータ可読媒体１０６はまた、ソフトウェアを実行する場合、プロセッサ１０４によって操作（manipulated）されるデータを記憶するために使用されうる。
【００２４】
[0024]   図２は、例示的なピア・ツー・ピア通信システム２００の図である。
【００２５】
ピア・ツー・ピア通信システム２００は、複数のワイヤレスデバイス２０６、２０８、２１０、２１２を含む。ピア・ツー・ピア通信システム２００は、例えばワイヤレスワイドエリアネットワーク（ＷＷＡＮ）のようなセルラ通信システムと重なりうる。ワイヤレスデバイス２０６、２０８、２１０、２１２のいくつかは、ピア・ツー・ピア通信において共に通信することができ、基地局２０４と通信できるものもあれば、両方を行うことができるものもある。例えば、図２で例示されるように、ワイヤレスデバイス２０６、２０８は、ピア・ツー・ピア通信中であり、ワイヤレスデバイス２１０、２１２は、ピア・ツー・ピア通信中である。ワイヤレスデバイス２１２はまた、基地局２０４とも通信している。
【００２６】
[0025]   ワイヤレスデバイスは、代替として、当業者によって、ユーザ機器、モバイル局、サブスクライバ局、モバイルユニット、サブスクライバユニット、ワイヤレスユニット、ワイヤレスノード、リモートユニット、モバイルデバイス、ワイヤレス通信デバイス、リモートデバイス、モバイルサブスクライバ局、アクセス端末、モバイル端末、ワイヤレス端末、リモート端末、ハンドセット、ユーザエージェント、モバイルクライアント、クライアント、またはいくつかの他の適切な専門用語で呼ばれうる。基地局は、代替として、当業者によって、アクセスポイント、基地トランシーバ局、無線基地局、無線トランシーバ、トランシーバ機能、ベーシックサービスセット（ＢＳＳ）、拡張サービスセット（ＥＳＳ）、ノードＢ、発展型ノードＢ、またはいくつかの他の適切な専門用語で呼ばれうる。
【００２７】
[0026]   以下で説明される例示的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１標準に基づくＷｉ−Ｆｉに基づいたワイヤレス・ピア・ツー・ピア通信システムのような、多様なワイヤレス・ピア・ツー・ピア通信システムのいずれかに適用可能である。議論を簡略化するために、例示的な方法および装置は、ＦｌａｓｈＬｉｎＱのコンテクスト内で論じられる。しかしながら当業者は、例示的な方法および装置が、より一般的に様々な他のワイヤレス・ピア・ツーピア通信システムに適用可能であることを理解するであろう。
【００２８】
[0027]   図３はＷＷＡＮおよびピア・ツー・ピア・リソースを図示するダイヤグラム３００である。図３で示されるように、リソーススペクトルは、ＷＷＡＮリソース３０２とピア・ツー・ピア（Ｐ２Ｐ）リソース３０４とに分割されうる。例示的な方法によると、ワイヤレスデバイス（例えば、ワイヤレスデバイス２１０、またはワイヤレスデバイス２１２）は、ＷＷＡＮリソースの使用が、サービング基地局（例えば、基地局２０４）によって受信された送信に対して閾値未満である干渉を引き起こしうるかどうかに基づいて、ピア・ツー・ピア通信のためのＷＷＡＮリソース３０２を使用しうる。
【００２９】
[0028]   図４は、例示的な方法を図示するためのダイヤグラム４００である。図４で示されるように、ワイヤレスデバイス４０４、４０６は、ピア・ツー・ピア通信中であり、ワイヤレスデバイス４０８は、基地局４０２と通信している。ワイヤレスデバイス４０４、４０６は、基地局４０２の範囲内である。第１の例示的な方法によると、基地局４０２は、ワイヤレスデバイス４０４および／またはワイヤレスデバイス４０６からの、ワイヤレスデバイス４０８から受信されうる信号への干渉を推定する。基地局４０２は、ワイヤレスデバイス４０４、４０６自身の間を通っている電力制御ループを介して、干渉を推定しうる。基地局４０２は、ワイヤレスデバイス４０８から以前受信された信号４１２への、ワイヤレスデバイス４０４からの以前の干渉４１０、および／またはワイヤレスデバイス４０６からの以前の干渉４１１に基づいて、干渉を推定しうる。基地局４０２は、ワイヤレスデバイス４０４、４０６のうちの１つに対する、ワイヤレスデバイス４０８からの、受信された信号品質および／または信号電力の比に基づいて、干渉を推定しうる。比が閾値未満である場合、干渉は高く、基地局４０２は、ワイヤレスデバイス４０８で同時に同じリソースを使用するために、ワイヤレスデバイス４０４、４０６へ許可を送信しない。比が閾値より高い場合、干渉は、干渉閾値未満となり、基地局４０２は、比が、閾値と比較してどれだけ高いかに基づいて、送信電力を決定し（４１４）、ワイヤレスデバイス４０８で同時に同じリソースを使用するために、ワイヤレスデバイス４０４へ送信電力とともに許可４１６を送信する。基地局４０２はまた、ワイヤレスデバイス４０６へ許可４１７を送信する。許可４１７はまた、決定された送信電力を含みうる。許可４１７は、ワイヤレスデバイス４０６が、ピア・ツー・ピア・通信において、受信機として作動しうる場合、決定された送信電力を含む必要がない。比が高い場合、基地局４１６は、送信電力はＰ１であると決定することができ（４１４）、比は低いが閾値より高い場合、基地局は、送信電力はＰ２であると決定することができ（４１４）、ここでＰ２＜Ｐ１である。１つの構成において、決定された送信電力は、ワイヤレスデバイス４０４、４０６の間のピア・ツー・ピア通信のために使用されうる最大送信電力である。
【００３０】
[0029]   干渉が干渉閾値未満である場合、基地局４０２は、許可４１６、４１７を送信する事を決定し（４１４）、干渉が干渉閾値より高い場合、基地局４０２は、許可４１６、４１７を送信しないことを決定する。このように、基地局４０２は、推定された干渉が干渉閾値より未満であるかどうかを決定する（４１４）。干渉が干渉閾値未満であると、基地局４０２は、ワイヤレスデバイス４０４、４０６との間のピア・ツー・ピア通信のための送信を決定し（４１４）、ワイヤレスデバイス４０４への送信電力を含む、許可４１６を送信する。下記で論じられるように、基地局４０２はまた、ワイヤレスデバイス４０６へ許可４１７を送信する。許可４１７はまた、決定された送信電力を含みうる。許可４１６、４１７は、ＵＬにおいて基地局４０２と通信するためにワイヤレスデバイス４０８によって利用される同一の時間周波数を、ワイヤレスデバイス４０４、４０６がそれぞれ利用することを許可するためのものである。
【００３１】
[0030]   許可４１６に応答して、ワイヤレスデバイス４０４は、許可を承認するために基地局４０２へ、肯定応答（ＡＣＫ）または否定応答（ＮＡＣＫ）４１８を送信しうる。ＡＣＫ／ＮＡＣＫ４１８は、物理アップリンク制御チャネル（ＰＵＣＣＨ）を介して送信されうる。基地局４０２は、ワイヤレスデバイス４０６へＡＣＫ／ＮＡＣＫ４２０を転送しうる。ＡＣＫ／ＮＡＣＫ４２０は、物理ハイブリッドインジケータチャネル（ＰＨＩＣＨ）を介して送られうる。ワイヤレスデバイス４０４が許可を受け入れる場合、ワイヤレスデバイス４０４、４０６は、ＷＷＡＮ通信を使用して、ＵＬにおいて基地局４０２と通信するためにワイヤレスデバイス４０８によって、同時に使用される同一のリソース（例えば、直行周波数分割多重（ＯＦＤＭ）シンボルおよび同一のサブキャリアにおける同一のリソースエレメント）を介して、ピア・ツー・ピア通信を使用して直接共に通信しうる（４２２）。
【００３２】
[0031]   図５は、スケジューリングされたピア・ツー・ピア通信についてのレートを推定するための第１の例示的な方法を図示するダイヤグラム５００である。図５で示されるように、ワイヤレスデバイス４０４は、パイロット信号５１０を送信する。ワイヤレスデバイス４０６は、パイロット信号５１０をリスン（listens）し、チャネル品質インジケータ（ＣＱＩ）フィードバック５１４で応答する。ワイヤレスデバイス４０８は、ワイヤレスデバイス４０６が、パイロット信号５１０を受信する時間に、ＵＬにおいて、５１２で送信していると仮定すると、ＣＱＩフィードバック５１４は、ワイヤレスデバイス４０８によって生成された干渉５１２ｉを考慮する。ワイヤレスデバイス４０４は、ＣＱＩフィードバック５１４を受信し、ＣＱＩフィードバック５１４に基づいてレートを決定する（５１６）。ワイヤレスデバイス４０４は、その後、ワイヤレスデバイス４０６へ、決定されたレートにおいて、決定されたレートおよびデータを５１８で送信しうる。
【００３３】
[0032]   図６は、スケジューリングされたピア・ツー・ピア通信についてのレートを推定するための第２の例示的な方法を図示するダイヤグラム６００である。図６で示されるように、基地局４０２は、ワイヤレスデバイス４０６から送信された基準信号のＷＷＡＮリソース内の位置６１４を送信する。ワイヤレスデバイス４０６は、基地局４０２によって受信される基準信号６１６を送信する。ワイヤレスデバイス４０４が、受信された位置情報６１４によって示されるリソース上の基準信号に関してリスンすると、基準信号６１６はまた、ワイヤレスデバイス４０４によって受信される。ワイヤレスデバイス４０４はまた、基地局４０２から許可６１８を受信する。許可６１８は、基準信号６１６をワイヤレスデバイス４０６が送信した電力Ｐ１を含む。ワイヤレスデバイス４０４は、基準信号６１６がワイヤレスデバイス４０４によって受信された電力Ｐ２および電力Ｐ１に基づいて、ワイヤレスデバイス４０４、４０６の間のチャネルＨを推定し（６２０）（すなわち、Ｈ＝Ｐ２／Ｐ１）、推定されたチャネルＨに基づいて、レートを決定する（６２０）。ワイヤレスデバイス４０４は、その後、ワイヤレスデバイス４０６へ、決定されたレートにおいて、決定されたレートおよびデータを６２２で送信しうる。第２の例示的な方法は、ＵＬにおいて、基地局４０２への送信６１２を介して、ワイヤレスデバイス４０８によって生成された干渉を考慮しない。
【００３４】
[0033]   図７は、ワイヤレス通信の例示的な方法のフローチャート７００である。方法は、ワイヤレスデバイスによって行われる。図７で示されるように、ワイヤレスデバイス（例えば、ワイヤレスデバイス４０４）は、基地局とのＷＷＡＮ通信のために第３のワイヤレスデバイス（例えば、ワイヤレスデバイス４０８）によって利用される時間周波数リソースを使用して、第２のワイヤレスデバイス（例えば、ワイヤレスデバイス４０６）とのピア・ツー・ピア通信のために基地局（例えば、基地局４０２）から許可を受信する（７０２）。許可は、第３のワイヤレスデバイスからの基地局によって受信された送信に対して引き起こされた干渉が、干渉閾値未満であると基地局によって決定される場合にのみ、基地局から受信されうる。ワイヤレスデバイスは、許可とともにピア・ツー・ピア通信のために送信電力を受信する（７０４）。送信電力は、第３のワイヤレスデバイスからの基地局によって受信された送信に対して引き起こされうる干渉に基づいて決定される。１つの構成において、許可に応答して、ワイヤレスデバイスは、ＷＷＡＮリソースを使用して、基地局へのピア・ツー・ピア・データ通信のためにＡＣＫ／ＮＡＣＫを送信しうる（７０６）。別の構成において、ワイヤレスデバイスは、ＷＷＡＮリソースを使用して基地局からのピア・ツー・ピア・データ通信のためにＡＣＫ／ＮＡＣＫを受信しうる（７０６）。このような構成において、ＡＣＫ／ＮＡＣＫは、第２のワイヤレスデバイスから発信される。ワイヤレスデバイスは、次に、時間周波数リソース上でピア・ツー・ピア通信を使用して、受信された送信電力以下の電力で、第２のワイヤレスデバイスと通信する（７０８）。下記で論じられるように、送信電力は、第１のワイヤレスデバイスと第２のワイヤレスデバイスとの間のピア・ツー・ピア通信のための最大送信電力でありうる。
【００３５】
[0034]   図８は、スケジューリングされたピア・ツー・ピア通信についてのレートを推定するためのワイヤレス通信の第１の方法のフローチャート８００である。方法は、ピア・ツー・ピア通信において送信機として作動しうる、ワイヤレスデバイスによって行われる。図８で示されるように、ワイヤレスデバイス（例えば、ワイヤレスデバイス４０４）は、第３のワイヤレスデバイス（例えば、ワイヤレスデバイス４０８）によって利用される時間周波数リソースにおいて第２のワイヤレスデバイス（例えば、ワイヤレスデバイス４０６）へパイロット信号を送信する（８０２）。ワイヤレスデバイスは、送信されたパイロット信号に応答して、時間周波数リソースにおいて第２のワイヤレスデバイスからＣＱＩフィードバックを受信する（８０４）。ワイヤレスデバイスは、受信されたＣＱＩフィードバックに基づいて、第２のワイヤレスデバイスと通信するためのレートを決定する（８０６）。第２のワイヤレスデバイスとの通信（図７の７０８を参照）は、決定されたレートにおいてである。
【００３６】
[0035]   図９は、スケジューリングされたピア・ツー・ピア通信についてのレートを推定するためのワイヤレス通信の第１の方法の別のフローチャート９００である。方法は、ピア・ツー・ピア通信において受信機として作動しうる、ワイヤレスデバイスによって行われる。ワイヤレスデバイス（例えば、ワイヤレスデバイス４０６）は、第３のワイヤレスデバイス（例えば、ワイヤレスデバイス４０８）によって利用される時間周波数リソースにおいて第２のワイヤレスデバイス（例えば、ワイヤレスデバイス４０４）からパイロット信号を受信する（９０２）。ワイヤレスデバイスは、受信されたパイロット信号に応答して、第２のワイヤレスデバイスへその時間周波数リソースにおいてＣＱＩフィードバックを送信する（９０４）。第２のワイヤレスデバイスとの通信（図７の７０８を参照）は、チャネル品質インジケータフィードバックに基づいて決定されたレートにおいてである。
【００３７】
[0036]   図１０は、スケジューリングされたピア・ツー・ピア通信についてのレートを推定するためのワイヤレス通信の第２の方法のフローチャート１０００である。方法は、ピア・ツー・ピア通信において送信機として作動する、ワイヤレスデバイスによって行われる。図１０で示されるように、ワイヤレスデバイス（例えば、ワイヤレスデバイス４０４）は、第２のワイヤレスデバイス（例えば、ワイヤレスデバイス４０６）から送信された、基準信号のＷＷＡＮリソース内の位置を受信しうる（１００２）。ＷＷＡＮリソース内の基準信号の位置は、基地局（例えば、基地局４０２）から受信される。受信された位置情報を使用して、ワイヤレスデバイスは、第２のワイヤレスデバイスから基準信号を受信する（１００４）。ワイヤレスデバイスは、許可とともに第１の電力Ｐ１を受信する（図７の７０２を参照）（１００６）。第１の電力Ｐ１は、基準信号が送信された電力である（１００６）。ワイヤレスデバイスは、基準信号が受信された第２の電力Ｐ２を決定する（１００８）。ワイヤレスデバイスは、第１の電力Ｐ１および第２の電力Ｐ２に基づいてチャネルＨを推定する（１０１０）。ワイヤレスデバイスは、推定されたチャネルＨおよび受信された送信電力（図７の７０４を参照）に基づいて、第２のワイヤレスデバイスとの通信のためのレートを決定する（１０１２）。第２のワイヤレスデバイスとの通信（図７の７０８を参照）は、決定されたレートにおいてである。
【００３８】
[0037]   図１１は、第１の例示的な装置１００の機能を図示する概念的なブロック図１１００である。装置は、ワイヤレスデバイス４０４またはワイヤレスデバイス４０６などといった、ワイヤレスデバイスでありうる。装置１００は、基地局とのＷＷＡＮ通信のために第３のワイヤレスデバイスによって利用される時間周波数リソースを使用して、第２のワイヤレスデバイスとのピア・ツー・ピア通信のために基地局から許可を受信するモジュール１１０２を含む。装置１００は、許可とともにピア・ツー・ピア通信のために送信電力を受信するモジュール１１０４をさらに含む。送信電力は、第３のワイヤレスデバイスからの基地局によって受信された送信に対して引き起こされうる干渉に基づいて決定される。装置１００は、時間周波数リソース上でピア・ツー・ピア通信を使用して、受信された送信電力以下の電力で、第２のワイヤレスデバイスと通信するモジュール１１０６をさらに含む。装置１００は、前述した図７から図１０のフローチャートにおけるステップのそれぞれを行う、追加のモジュールを含みうる。このように、前述した図７から図１０のフローチャートにおけるそれぞれのステップは、モジュールによって行われ、装置１００は、それらのモジュールのうちの１つまたは複数を含みうる。
【００３９】
[0038]   図１２は、ワイヤレス通信の別の例示的な方法のフローチャート１２００である。方法は、基地局４０２などといった、基地局によって行われる。基地局は、第３のワイヤレスデバイスから受信された信号への推定された干渉が、干渉閾値未満であるかどうかに基づいて、許可を送信するかを決定する（１２０２）。干渉は、第３のワイヤレスデバイス、および第１のワイヤレスデバイスまたは第２のワイヤレスデバイスのうちの少なくとも１つからの、受信された信号品質または信号電力のうちの少なくとも１つに基づいて推定されうる。干渉は、第１のワイヤレスデバイスまたは第２のワイヤレスデバイスのうちの少なくとも１つからの、第３のワイヤレスデバイスから受信された信号への以前の干渉に基づいて推定されうる。基地局は、推定された干渉に基づいて、第１のワイヤレスデバイスと第２のワイヤレスデバイスとの間のピア・ツー・ピア・通信のために送信電力を決定する（１２０４）。送信電力は、第１のワイヤレスデバイス（例えば、ワイヤレスデバイス４０４）と第２のワイヤレスデバイス（例えば、ワイヤレスデバイス４０６）との間のピア・ツー・ピア通信のための最大送信電力でありうる。基地局は、基地局とのＷＷＡＮ通信のために第３のワイヤレスデバイス（例えば、ワイヤレスデバイス４０８）によって利用される時間周波数リソースを使用して、第１のワイヤレスデバイスとのピア・ツー・ピア通信において、第１のワイヤレスデバイスおよび第２のワイヤレスデバイスへ許可および送信電力を送信する（１２０６）。基地局は、第１のワイヤレスデバイスと第２のワイヤレスデバイスとの間のピア・ツー・ピア・データ通信のためにＷＷＡＮリソースを使用して、第１のワイヤレスデバイスからＡＣＫ／ＮＡＣＫを受信し、ＷＷＡＮリソースを使用して、第２のワイヤレスデバイスへ受信されたＡＣＫまたはＮＡＣＫを送信する（１２０８）。基地局はまた、許可とともに第１のワイヤレスデバイスへ第２のワイヤレスデバイスから送信された基準信号の送信電力を送信しうる（１２１０）。基地局はまた、第２のワイヤレスデバイスから送信された基準信号のＷＷＡＮリソース内の位置を送信しうる（１２１２）。
【００４０】
[0039]   図１３は、第２の例示的な装置１００の機能を図示する概念的なブロック図１３００である。装置１００は、基地局４０２などといった、基地局でありうる。装置１００は、基地局とのＷＷＡＮ通信のために第３のワイヤレスデバイスによって利用される時間周波数リソースを使用して、第１のワイヤレスデバイスとのピア・ツー・ピア通信において第１のワイヤレスデバイスおよび第２のワイヤレスデバイスへ許可を送信するモジュール１３０２を含む。装置１００は、第３のワイヤレスデバイスから受信された信号への推定された干渉に基づいて、第１のワイヤレスデバイスと第２のワイヤレスデバイスとの間のピア・ツー・ピア通信のために送信電力を決定するモジュール１３０４をさらに含む。装置１００は、少なくとも第１のワイヤレスデバイスへ許可とともに送信電力を送信するモジュール１３０６をさらに含む。装置１００は、前述した図１２のフローチャートにおけるステップのそれぞれを行う、追加のモジュールを含みうる。このように、前述した図１２のフローチャートにおけるそれぞれのステップは、モジュールによって行われ、装置１００は、それらのモジュールのうちの１つまたは複数を含みうる。
【００４１】
[0040]   １つの構成において、図１および図１１を参照すると、ワイヤレスデバイスでありうる、ワイヤレス通信のための装置１００は、基地局とのＷＷＡＮ通信のために第３のワイヤレスデバイスによって利用される時間周波数リソースを使用して、第２の装置とのピア・ツー・ピア通信のために基地局から許可を受信するための手段を含む。装置１００は、許可とともにピア・ツー・ピア通信のために送信電力を受信するための手段をさらに含む。送信電力は、第３の装置からの基地局によって受信された送信に対して引き起こされうる干渉に基づいて決定される。装置１００は、時間周波数リソース上でピア・ツー・ピア通信を使用して、受信された送信電力以下の電力で、第２の装置と通信するための手段をさらに含む。装置１００は、その時間周波数リソースにおいて第２の装置へパイロット信号を送信するため手段と、送信されたパイロット信号に応答して、第２の装置からその時間周波数リソースにおいてチャネル品質インジケータフィードバックを受信するための手段と、受信されたチャネル品質インジケータフィードバックに基づいて、第２の装置との通信のためにレートを決定するための手段とをさらに含みうる。このような構成において、第２の装置との通信は、決定されたレートにおいてである。装置１００は、その時間周波数リソースにおいて第２の装置からパイロット信号を受信するための手段と、受信されたパイロット信号に応答して、第２の装置へその時間周波数リソースにおいてチャネル品質インジケータフィードバックを送信するための手段とをさらに含みうる。このような構成において、第２の装置との通信は、チャネル品質インジケータフィードバックに基づいて決定されたレートにおいてである。装置１００は、第２の装置から基準信号を受信するための手段と、基準信号が送信された電力である第１の電力において、許可とともに第１の電力を受信するための手段と、基準信号が受信された第２の電力を決定するための手段と、第１の電力および第２の電力に基づいてチャネルを推定するための手段と、推定されたチャネルおよび受信された送信電力に基づいて、第２の装置との通信のためのレートを決定するための手段とをさらに含みうる。このような構成において、第２の装置との通信は、決定されたレートにおいてである。装置１００は、第２の装置から送信された、基準信号のＷＷＡＮリソース内の位置を受信するための手段をさらに含みうる。このような構成において、ＷＷＡＮリソース内の基準信号の位置は、基地局から受信される。装置１００は、ＷＷＡＮリソースを使用して、基地局へのピア・ツー・ピア・データ通信のために、ＡＣＫまたはＮＡＣＫを送信するための手段をさらに含みうる。装置１００は、ＷＷＡＮリソースを使用して、基地局からのピア・ツー・ピア・データ通信のために、ＡＣＫまたはＮＡＣＫを受信するための手段をさらに含みうる。このような構成において、ＡＣＫまたはＮＡＣＫは、第２の装置から発信される。前述した手段は、前述した手段により記載された機能を行うように構成された装置１００または処理システム１１４である。
【００４２】
[0041]   １つの構成において、図１および図１３を参照すると、基地局でありうる、ワイヤレス通信のための装置１００は、その装置とのＷＷＡＮ通信のために第３のワイヤレスデバイスによって利用される時間周波数リソースを使用して、第１のワイヤレスデバイスとのピア・ツー・ピア通信において第１のワイヤレスデバイスおよび第２のワイヤレスデバイスへの許可を送信するための手段を含む。装置１００は、第３のワイヤレスデバイスから受信された信号への推定された干渉に基づいて、第１のワイヤレスデバイスと第２のワイヤレスデバイスとの間のピア・ツー・ピア通信のために送信電力を決定するための手段をさらに含む。装置１００は、少なくとも第１のワイヤレスデバイスへ許可とともに送信電力を送信するための手段をさらに含む。装置１００は、推定された干渉が、閾値未満であるかどうかに基づいて、許可を送信するかを決定するための手段をさらに含む。装置１００は、第１のワイヤレスデバイスと第２のワイヤレスデバイスとの間のピア・ツー・ピア・データ通信のためにＷＷＡＮリソースを使用して、第１のワイヤレスデバイスからＡＣＫまたはＮＡＣＫを受信するための手段と、ＷＷＡＮリソースを使用して、第２のワイヤレスデバイスへ受信されたＡＣＫまたはＮＡＣＫを送信するための手段をさらに含みうる。装置１００は、許可とともに第１のワイヤレスデバイスへ第２のワイヤレスデバイスから送信された基準信号の送信電力を送信するための手段をさらに含みうる。装置１００は、第２のワイヤレスデバイスから送信された基準信号のＷＷＡＮリソース内の位置を送信するための手段をさらに含みうる。前述した手段は、前述した手段により記載された機能を行うように構成された装置１００または処理システム１１４である。
【００４３】
[0042]   開示された処理におけるステップの特定の順序または階層は、例示的なアプローチの実例であることが理解されるべきである。設計の選好に基づいて、処理におけるステップの特定の順序または階層は再配置されうるということが理解されるべきである。添付の方法の請求項は、例示的な順序で様々なステップのエレメントを提示しているが、提示された特定の順序または階層に限定されることを意図するものではない。
【００４４】
[0043]  前述の説明は、本明細書で説明される様々な態様を実施することを当業者に対して可能にするように提供される。これらの態様への様々な変更は、当業者に対して容易に明らかになり、本明細書で定義される包括的な本質は他の態様に適用されうる。したがって、特許請求の範囲は、本明細書に示された態様に限定されることを意図するものではなく、特許請求の範囲における記載と一致する全範囲を付与されるべきものであり、単数形でのエレメントへの言及は、そうであるとの明確な記載がない限り、「１つ、および１つのみ」を意味することは意図せず、「１つまたは複数」を意味する。そうでないことが特に述べられていない限り、「いくつか」という用語は、「１つまたは複数」を示している。当業者に周知の、または後に周知となる、本開示を通して説明されたさまざまな態様のエレメントと構造的および機能的に同等な物は全て、参照によって本明細書に明示的に組み込まれ、特許請求の範囲に含まれることが意図される。さらに、本明細書におけるどの開示も、その開示が特許請求の範囲に明示的に記載されているか否かに関わらず、一般社会に献呈されることを意図するものではない。エレメントが、「ための手段」という言葉を使用して明示的に記載されない限り、全ての特許請求の範囲のエレメントは、ミーンズプラスファンクション（means plus function）として解釈されるべきではない。
以下に、本願出願の当初の特許請求の範囲に記載された発明を付記する。
[Ｃ１]
第１のワイヤレスデバイスを動作させる方法であって、
基地局とのワイヤレスワイドエリアネットワーク（ＷＷＡＮ）通信のために第３のワイヤレスデバイスによって利用される時間周波数リソースを使用して、第２のワイヤレスデバイスとのピア・ツー・ピア通信のために前記基地局から許可を受信することと、
前記許可とともに前記ピア・ツー・ピア通信のために送信電力を受信することと、ここで前記送信電力は、前記第３のワイヤレスデバイスからの前記基地局によって受信された送信に対して引き起こされうる干渉に基づいて決定される、
前記時間周波数リソース上でピア・ツー・ピア通信を使用して前記受信された送信電力以下の電力で、前記第２のワイヤレスデバイスと通信することと
を備える、方法。
[Ｃ２]
前記送信電力は、前記第１のワイヤレスデバイスと前記第２のワイヤレスデバイスとの間の前記ピア・ツー・ピア通信のための最大送信電力である、Ｃ１に記載の方法。
[Ｃ３]
前記時間周波数リソースにおいて前記第２のワイヤレスデバイスへパイロット信号を送信することと、
前記送信されたパイロット信号に応答して、前記時間周波数リソースにおいて前記第２のワイヤレスデバイスからチャネル品質インジケータフィードバックを受信することと、
前記受信されたチャネル品質インジケータフィードバックに基づいて、前記第２のワイヤレスデバイスとの前記通信のためのレートを決定することと、
をさらに備え、
前記第２のワイヤレスデバイスとの前記通信は、前記決定されたレートにおいてである、
Ｃ１に記載の方法。
[Ｃ４]
前記時間周波数リソースにおいて前記第２のワイヤレスデバイスからパイロット信号を受信することと、
前記受信されたパイロット信号に応答して、前記時間周波数リソースにおいて前記第２のワイヤレスデバイスへチャネル品質インジケータフィードバックを送信することと、
をさらに備え、
前記第２のワイヤレスデバイスとの前記通信は、前記チャネル品質インジケータフィードバックに基づいて決定されたレートにおいてである
Ｃ１に記載の方法。
[Ｃ５]
前記第２のワイヤレスデバイスから基準信号を受信することと、
前記許可とともに第１の電力を受信することと、ここで前記第１の電力は、前記基準信号が送信された電力である、
前記基準信号が受信された第２の電力を決定することと、
前記第１の電力および前記第２の電力に基づいてチャネルを推定することと、
前記推定されたチャネルおよび前記受信された送信電力に基づいて、前記第２のワイヤレスデバイスとの前記通信のためのレートを決定することと、
をさらに備え、
前記第２のワイヤレスデバイスとの前記通信は、前記決定されたレートにおいてである
Ｃ１に記載の方法。
[Ｃ６]
前記第２のワイヤレスデバイスから送信された基準信号のＷＷＡＮリソース内の位置を受信することをさらに備え、前記ＷＷＡＮリソース内の前記基準信号の前記位置は、前記基地局から受信される、Ｃ５に記載の方法。
[Ｃ７]
ＷＷＡＮリソースを使用して、前記基地局へのピア・ツー・ピア・データ通信のために、肯定応答（ＡＣＫ）または否定応答（ＮＡＣＫ）を送信することをさらに備える、Ｃ１に記載の方法。
[Ｃ８]
ＷＷＡＮリソースを使用して、前記基地局からのピア・ツー・ピア・データ通信のために肯定応答（ＡＣＫ）または否定応答（ＮＡＣＫ）を受信することをさらに備え、前記ＡＣＫまたは前記ＮＡＣＫは、前記第２のワイヤレスデバイスから発信される、Ｃ１に記載の方法。
[Ｃ９]
前記許可は、前記干渉が閾値未満である場合にのみ前記基地局から受信される、Ｃ１に記載の方法。
[Ｃ１０]
基地局を動作させる方法であって、
前記基地局とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信することと、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定することと、
少なくとも前記第１のワイヤレスデバイスへ前記許可とともに前記送信電力を送信することと
を備える、方法。
[Ｃ１１]
前記干渉は、前記第３のワイヤレスデバイス、および前記第１のワイヤレスデバイスまたは前記第２のワイヤレスデバイスのうちの少なくとも１つからの、前記受信された信号品質または信号電力のうちの少なくとも１つに基づいて推定される、Ｃ１０に記載の方法。
[Ｃ１２]
前記推定された干渉が、閾値未満であるかどうかに基づいて、前記許可を送信するかを決定することをさらに備える、Ｃ１０に記載の方法。
[Ｃ１３]
前記干渉は、前記第１のワイヤレスデバイスまたは前記第２のワイヤレスデバイスのうちの少なくとも１つからの、前記第３のワイヤレスデバイスから前記受信された信号への以前の干渉に基づいて推定される、Ｃ１０に記載の方法。
[Ｃ１４]
前記送信電力は、前記第１のワイヤレスデバイスと前記第２のワイヤレスデバイスとの間の前記ピア・ツー・ピア通信のための最大送信電力である、Ｃ１０に記載の方法。
[Ｃ１５]
前記第１のワイヤレスデバイスと前記第２のワイヤレスデバイスとの間のピア・ツー・ピア・データ通信のためにＷＷＡＮリソースを使用して、前記第１のワイヤレスデバイスから肯定応答（ＡＣＫ）または否定応答（ＮＡＣＫ）を受信することと、
前記ＷＷＡＮリソースを使用して、前記第２のワイヤレスデバイスへ前記受信されたＡＣＫまたはＮＡＣＫを送信することと
をさらに備える、Ｃ１０に記載の方法。
[Ｃ１６]
前記許可とともに前記第２のワイヤレスデバイスから前記第１のワイヤレスデバイスへ送信された基準信号の送信電力を送信することをさらに備える、Ｃ１０に記載の方法。
[Ｃ１７]
前記第２のワイヤレスデバイスから送信された基準信号のＷＷＡＮリソース内の位置を送信することをさらに備える、Ｃ１０に記載の方法。
[Ｃ１８]
ワイヤレス通信のための装置であって、
基地局とのワイヤレスワイドエリアネットワーク（ＷＷＡＮ）通信のために第３の装置によって利用される時間周波数リソースを使用して、第２の装置とのピア・ツー・ピア通信のために前記基地局から許可を受信するための手段と、
前記許可とともに前記ピア・ツー・ピア通信のために送信電力を受信するための手段と、ここで前記送信電力は、前記第３の装置からの前記基地局によって受信された送信を対して引き起こされうる干渉に基づいて決定される、
前記時間周波数リソース上でピア・ツー・ピア通信を使用して前記受信された送信電力以下の電力で、前記第２の装置と通信するための手段と
を備える、装置。
[Ｃ１９]
前記送信電力は、前記装置と前記第２の装置との間の前記ピア・ツー・ピア通信のための最大送信電力である、Ｃ１８に記載の装置。
[Ｃ２０]
前記時間周波数リソースにおいて前記第２の装置へパイロット信号を送信するための手段と、
前記送信されたパイロット信号に応答して、前記第２の装置から前記時間周波数リソースにおいてチャネル品質インジケータフィードバックを受信するための手段と、
前記受信されたチャネル品質インジケータフィードバックに基づいて、前記第２の装置との前記通信のためのレートを決定するための手段と、
をさらに備え、
前記第２の装置との前記通信は、前記決定されたレートにおいてである、
Ｃ１８に記載の装置。
[Ｃ２１]
前記時間周波数リソースにおいて前記第２の装置からパイロット信号を受信するための手段と、
前記受信されたパイロット信号に応答して、前記第２の装置へ前記時間周波数リソースにおいてチャネル品質インジケータフィードバックを送信するための手段と、
をさらに備え、
前記第２の装置との前記通信は、前記チャネル品質インジケータフィードバックに基づいて決定されたレートにおいてである、
Ｃ１８に記載の装置。
[Ｃ２２]
前記第２の装置から基準信号を受信するための手段と、
前記許可とともに第１の電力を受信するための手段と、ここで前記第１の電力は、前記基準信号が送信された電力である、
前記基準信号が受信された第２の電力を決定するための手段と、
前記第１の電力および前記第２の電力に基づいてチャネルを推定するための手段と、
前記推定されたチャネルおよび前記受信された送信電力に基づいて、前記第２の装置との前記通信のためのレートを決定するための手段と、
をさらに備え、
前記第２の装置との前記通信は、前記決定されたレートにおいてである、
Ｃ１８に記載の装置。
[Ｃ２３]
前記第２の装置から送信された、基準信号のＷＷＡＮリソース内の位置を受信するための手段をさらに備え、前記ＷＷＡＮリソース内の前記基準信号の前記位置は、前記基地局から受信される、Ｃ２２に記載の装置。
[Ｃ２４]
ＷＷＡＮリソースを使用して、前記基地局へのピア・ツー・ピア・データ通信のために、肯定応答（ＡＣＫ）または否定応答（ＮＡＣＫ）を送信するための手段をさらに備える、Ｃ１８に記載の装置。
[Ｃ２５]
ＷＷＡＮリソースを使用して、前記基地局からのピア・ツー・ピア・データ通信のために、肯定応答（ＡＣＫ）または否定応答（ＮＡＣＫ）を受信するための手段をさらに備え、前記ＡＣＫまたは前記ＮＡＣＫは、前記第２の装置から発信される、Ｃ１８に記載の装置。
[Ｃ２６]
前記許可は、前記干渉が閾値未満である場合にのみ前記基地局から受信される、Ｃ１８に記載の装置。
[Ｃ２７]
ワイヤレス通信のための装置であって、
前記装置とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信するための手段と、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定するための手段と、
少なくとも前記第１のワイヤレスデバイスへ前記許可とともに前記送信電力を送信するための手段と
を備える、装置。
[Ｃ２８]
前記干渉は、前記第３のワイヤレスデバイス、および前記第１のワイヤレスデバイスまたは前記第２のワイヤレスデバイスのうちの少なくとも１つからの、前記受信された信号品質または信号電力のうちの少なくとも１つに基づいて推定される、Ｃ２７に記載の装置。
[Ｃ２９]
前記推定された干渉が、閾値未満であるかどうかに基づいて、前記許可を送信するかを決定するための手段をさらに備える、Ｃ２７に記載の装置。
[Ｃ３０]
前記干渉は、前記第１のワイヤレスデバイスまたは前記第２のワイヤレスデバイスのうちの少なくとも１つからの、前記第３のワイヤレスデバイスから前記受信された信号への以前の干渉に基づいて推定される、Ｃ２７に記載の装置。
[Ｃ３１]
前記送信電力は、前記第１のワイヤレスデバイスと前記第２のワイヤレスデバイスとの間の前記ピア・ツー・ピア通信のための最大送信電力である、Ｃ２７に記載の装置。
[Ｃ３２]
前記第１のワイヤレスデバイスと前記第２のワイヤレスデバイスとの間のピア・ツー・ピア・データ通信のためにＷＷＡＮリソースを使用して、前記第１のワイヤレスデバイスから肯定応答（ＡＣＫ）または否定応答（ＮＡＣＫ）を受信するための手段と、
前記ＷＷＡＮリソースを使用して、前記第２のワイヤレスデバイスへ前記受信されたＡＣＫまたはＮＡＣＫを送信するための手段と
をさらに備える、Ｃ２７に記載の装置。
[Ｃ３３]
前記許可とともに前記第２のワイヤレスデバイスから前記第１のワイヤレスデバイスへ送信された基準信号の送信電力を送信するための手段をさらに備える、Ｃ２７に記載の装置。
[Ｃ３４]
前記第２のワイヤレスデバイスから送信された基準信号のＷＷＡＮリソース内の位置を送信するための手段をさらに備える、Ｃ２７に記載の装置。
[Ｃ３５]
ワイヤレス通信のための装置であって、
基地局とのワイヤレスワイドエリアネットワーク（ＷＷＡＮ）通信のために第３の装置によって利用される時間周波数リソースを使用して、第２の装置とのピア・ツー・ピア通信のために前記基地局から許可を受信し、
前記許可とともに前記ピア・ツー・ピア通信のために送信電力を受信し、ここで前記送信電力は、前記第３の装置からの前記基地局によって受信された送信に対して引き起こされうる干渉に基づいて決定される、
前記時間周波数リソース上でピア・ツー・ピア通信を使用して前記受信された送信電力以下の電力で、前記第２の装置と通信する
ように構成された処理システム
を備える装置。
[Ｃ３６]
前記送信電力は、前記装置と前記第２の装置との間の前記ピア・ツー・ピア通信のための最大送信電力である、Ｃ３５に記載の装置。
[Ｃ３７]
前記処理システムは、
前記時間周波数リソースにおいて前記第２の装置へパイロット信号を送信し、
前記送信されたパイロット信号に応答して、前記第２の装置から前記時間周波数リソースにおいてチャネル品質インジケータフィードバックを受信し、
前記受信されたチャネル品質インジケータフィードバックに基づいて、前記第２の装置との前記通信のためのレートを決定する
ようにさらに構成され、
前記第２の装置との前記通信は、前記決定されたレートにおいてである、
Ｃ３５に記載の装置。
[Ｃ３８]
前記処理システムは、
前記時間周波数リソースにおいて前記第２の装置からパイロット信号を受信し、
前記受信されたパイロット信号に応答して、前記第２の装置へ前記時間周波数リソースにおいてチャネル品質インジケータフィードバックを送信する
ようにさらに構成され、
前記第２の装置との前記通信は、前記チャネル品質インジケータフィードバックに基づいて決定されたレートにおいてである、
Ｃ３５に記載の装置。
[Ｃ３９]
前記処理システムは、
前記第２の装置から基準信号を受信し、
前記許可とともに第１の電力を受信し、ここで前記第１の電力は、前記基準信号が送信された電力である、
前記基準信号が受信された第２の電力を決定し、
前記第１の電力および前記第２の電力に基づいてチャネルを推定し、
前記推定されたチャネルおよび前記受信された送信電力に基づいて、前記第２の装置との前記通信のためのレートを決定する
ようにさらに構成され、
前記第２の装置との前記通信は、前記決定されたレートにおいてである
Ｃ３５に記載の装置。
[Ｃ４０]
前記処理システムは、前記第２の装置から送信された、基準信号のＷＷＡＮリソース内の位置を受信するようにさらに構成され、前記ＷＷＡＮリソース内の前記基準信号の前記位置は、前記基地局から受信される、Ｃ３９に記載の装置。
[Ｃ４１]
前記処理システムは、ＷＷＡＮリソースを使用して、前記基地局へのピア・ツー・ピア・データ通信のために、肯定応答（ＡＣＫ）または否定応答（ＮＡＣＫ）を送信するようにさらに構成される、Ｃ３５に記載の装置。
[Ｃ４２]
前記処理システムは、ＷＷＡＮリソースを使用して、前記基地局からのピア・ツー・ピア・データ通信のために、肯定応答（ＡＣＫ）または否定応答（ＮＡＣＫ）を受信するようにさらに構成され、前記ＡＣＫまたは前記ＮＡＣＫは、前記第２の装置から発信される、Ｃ３５に記載の装置。
[Ｃ４３]
前記許可は、前記干渉が閾値未満である場合にのみ前記基地局から受信される、Ｃ３５に記載の装置。
[Ｃ４４]
ワイヤレス通信のための装置であって、
前記装置とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信し、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定し、
少なくとも前記第１のワイヤレスデバイスへ前記許可とともに前記送信電力を送信する
ように構成された処理システム
を備える装置。
[Ｃ４５]
前記干渉は、前記第３のワイヤレスデバイス、および前記第１のワイヤレスデバイスまたは前記第２のワイヤレスデバイスのうちの少なくとも１つからの、前記受信された信号品質または信号電力のうちの少なくとも１つに基づいて推定される、Ｃ４４に記載の装置。
[Ｃ４６]
前記処理システムは、前記推定された干渉が、閾値未満であるかどうかに基づいて、前記許可を送信するかを決定するようにさらに構成される、Ｃ４４に記載の装置。
[Ｃ４７]
前記干渉は、前記第１のワイヤレスデバイスまたは前記第２のワイヤレスデバイスのうちの少なくとも１つからの、前記第３のワイヤレスデバイスから前記受信された信号への以前の干渉に基づいて推定される、Ｃ４４に記載の装置。
[Ｃ４８]
前記送信電力は、前記第１のワイヤレスデバイスと前記第２のワイヤレスデバイスとの間の前記ピア・ツー・ピア通信のための最大送信電力である、Ｃ４４に記載の装置。
[Ｃ４９]
前記処理システムは、
前記第１のワイヤレスデバイスと前記第２のワイヤレスデバイスとの間のピア・ツー・ピア・データ通信のためにＷＷＡＮリソースを使用して、前記第１のワイヤレスデバイスから肯定応答（ＡＣＫ）または否定応答（ＮＡＣＫ）を受信し、
前記ＷＷＡＮリソースを使用して、前記第２のワイヤレスデバイスへ前記受信されたＡＣＫまたはＮＡＣＫを送信する
ようにさら構成された、Ｃ４４に記載の装置。
[Ｃ５０]
前記処理システムは、前記許可とともに前記第２のワイヤレスデバイスから前記第１のワイヤレスデバイスへ送信された基準信号の送信電力を送信するようにさらに構成される、Ｃ４４に記載の装置。
[Ｃ５１]
前記処理システムは、前記第２のワイヤレスデバイスから送信された基準信号のＷＷＡＮリソース内の位置を送信するようにさらに構成される、Ｃ４４に記載の装置。
[Ｃ５２]
第１のワイヤレスデバイスにおけるコンピュータプログラム製品であって、
基地局とのワイヤレスワイドエリアネットワーク（ＷＷＡＮ）通信のために第３のワイヤレスデバイスによって利用される時間周波数リソースを使用して、第２のワイヤレスデバイスとのピア・ツー・ピア通信のために前記基地局から許可を受信し、
前記許可とともに前記ピア・ツー・ピア通信のために送信電力を受信し、ここで前記送信電力は、前記第３のワイヤレスデバイスからの前記基地局によって受信された送信に対して引き起こされうる干渉に基づいて決定される、
前記時間周波数リソース上でピア・ツー・ピア通信を使用して前記受信された送信電力以下の電力で、前記第２のワイヤレスデバイスと通信する
ためのコードを備えるコンピュータ可読媒体
を備える、コンピュータプログラム製品。
[Ｃ５３]
基地局におけるコンピュータプログラム製品であって、
前記基地局とのワイヤレスワイドエリアネットワーク（ＷＷＡＮ）通信のために第３のワイヤレスデバイスによって利用される時間周波数リソースを使用して、第１のワイヤレスデバイスとのピア・ツー・ピア通信において前記第１のワイヤレスデバイスおよび第２のワイヤレスデバイスへ許可を送信し、
前記第３のワイヤレスデバイスから受信された信号への推定された干渉に基づいて、前記第１のワイヤレスデバイスと前記第２のワイヤレスデバイスとの間の前記ピア・ツー・ピア通信のために送信電力を決定し、
少なくとも前記第１のワイヤレスデバイスへ前記許可とともに前記送信電力を送信する
ためのコードを備える、コンピュータ可読媒体
を備える、コンピュータプログラム製品。
【図１】
0005866450.tif 000002
【図２】
0005866450.tif 000003
【図３】
0005866450.tif 000004
【図４】
0005866450.tif 000005
【図５】
0005866450.tif 000006
【図６】
0005866450.tif 000007
【図７】
0005866450.tif 000008
【図８】
0005866450.tif 000009
【図９】
0005866450.tif 000010
【図１０】
0005866450.tif 000011
【図１１】
0005866450.tif 000012
【図１２】
0005866450.tif 000013
【図１３】
0005866450.tif 000014